(57)【要約】      （修正有）【課題】ペットの身高に対応した位置において継続的に温度を測定して、犬等のペットの熱中症予防に用いる温度計を提供する。【解決手段】ペットの熱中症予防用温度計本体１は、バンド状であり、温度表示部２を備えている。バンドの両端には面ファスナ３及び４が備えられている。面ファスナ３は裏面に、面ファスナ４は表面に設けられ、面ファスナ４の幅によってバンドを巻きつける際の長さが調整されて、ペットの首、飼い主の足首等に固定される。温度表示部２には、２℃刻みで発色温度が異なる熱中症警告用の感温液晶シート５ａ〜５ｉ及び肉球やけど警告用の感温液晶シート６ａ〜６ｄを設けて、ペットの熱中症予防用温度計を構成する。【選択図】図１
0003164416.tif 000002
【実用新案登録請求の範囲】
【請求項１】
ペットの首又は人間の足首に巻きつけて装着できるバンドに、気温を継続的に測定して気温が設定温度以上である場合に警告表示をする温度計を備えたことを特徴とする、ペットの熱中症予防用温度計。
【請求項２】
前記設定温度として２以上の温度が設定され、上記警告表示はより高音の設定温度についてより長波長の色彩であることを特徴とする、請求項１に記載のペットの熱中症予防用温度計。
【請求項３】
前記設定温度に、熱中症を引き起こす気温及び肉球のやけどを引き起こす路面温度を示唆する気温を含むことを特徴とする、請求項１に記載のペットの熱中症予防用温度計。
【請求項４】
前記警告表示は、熱中症を引き起こす気温と肉球のやけどを引き起こす路面温度を示唆する気温とで異なる色相の表示であることを特徴とする、請求項３に記載のペットの熱中症予防用温度計。
【請求項５】
前記警告表示が表示のための電力の供給を必要としない温度に対応して表示色を変化させる温度対応表示物によって行われることを特徴とする、請求項１〜４のいずれか1項に記載のペットの熱中症予防用温度計。
【請求項６】
前記温度対応表示物が感温液晶シートであることを特徴とする、請求項５に記載のペットの熱中症予防用温度計。
【請求項７】
気温を継続的に測定して気温が設定温度以上である場合に警告表示をする２以上の温度を設定温度とする２以上の温度対応表示物を含み、該設定温度に熱中症を引き起こす気温及び肉球のやけどを引き起こす路面温度を示唆する気温を含み、前記警告表示は熱中症を引き起こす気温と肉球のやけどを引き起こす路面温度を示唆する気温とで異なる色相の表示であることを特徴とする、ペットの熱中症予防用温度表示シール。
【考案の詳細な説明】
【技術分野】
【０００１】
本考案は、犬等のペットの熱中症を予防するために用いる温度計温度表示シールに関するものである。
【背景技術】
【０００２】
ペットに限らずヒトを含む哺乳類の熱中症を予防するために温度等を測定することは広く行われている。
ヒトについては、熱中症を発症する可能性の指標値として、乾球温度、湿球温度及び黒球温度に基づいて求めるＷＢＧＴが知られている。特許文献１には、黒球温度を測定する装置を持たない携帯型の情報報知装置において、乾球温度及び湿度に基づいて近似的にＷＢＧＴを求め、熱中症を発症する可能性が高い場合に警告を行う方法が開示されている。
一方、熱中症を発症する可能性が高い場合には散歩を控える等、ＷＢＧＴ等の科学的に裏付けられた指標値を厳密に求めなくとも熱中症を発症する可能性の高低を示唆する値を知ることで十分な場合も考えられる。この場合には、乾球温度の値で十分である。特許文献２には、複数の設定温度ごとに刺激の強さを変えて警告を行う熱中症予防温度計が開示されている。
【０００３】
特許文献１及び特許文献２の技術によってヒトでなくて犬等のペットの熱中症を予防しようとする場合、以下の問題が発生する。（１）発汗による体温調節の程度は、犬、猫等のペットの種類ごとに異なる。全てのペットに適用できるような熱中症を発症する可能性の指標値として確立されたものはない。（２）ペットは４足歩行するため、２足歩行する人間よりも身高が小さい。飼い主である人間が携帯する温度計等によっては、ペットの身高に対応した位置における気温等が測定できず、熱中症を発症する可能性の高低を示唆する値を求めることができない。特に、飼い主とペットが一緒にアスファルト舗装された道路を散歩する場合、ペットの身高に対応した位置における気温は飼い主が携帯する温度計等によって測定される気温よりも相当に高いことがある。
上記（１）の問題を解決するため、特許文献３には、気温と湿度とを測定し、その測定値からペット毎の指数を演算する方法が開示されている。この方法によれば、発汗による体温調節の程度が異なる問題を解決できる。また、上記ペット毎の指数を演算する際に身高の差に基づく気温の異なりをある程度指数に反映できるので、上記（２）の問題にも一定の対応となる。
しかし、身高の差に起因する気温差の大きいアスファルト舗装された道路と、該気温差の小さい公園内の草地とを区別して対応できるものではなく、特許文献３に開示された方法よりも、ペットの身高に対応した位置において単純に乾球温度を測定する方がペットの熱中症予防には有効であると考えられる。
【０００４】
特許文献１〜３のいずれの技術も、警告のための発光や音声出力、或いは、指数等の演算のためのＣＰＵに電力を用いるものである。このため、携帯型の装置を用いて熱中症予防を行う場合、以下のいずれかの問題が発生してしまう。（１）継続的に動作させれば装置の電池容量に起因して動作時間が制限され、長時間の外出等の際に利用することができない。（２）電池容量の問題を解消するために間歇的（例えば１０分おき）に動作させれば、その動作の間の時間でペットが熱中症を発症してしまう可能性がある。
【０００５】
以上のとおり、ペットの身高に対応した位置において継続的に気温を測定するような、犬等のペットの熱中症を予防するために用いる装置及び方法は知られていなかった。
【先行技術文献】
【特許文献】
【０００６】
【特許文献１】登録実用新案第３１５７６０４号公報
【特許文献２】特開２００３−３４４１７５号公報
【特許文献３】特開２００６−３４５８２６号公報
【考案の概要】
【考案が解決しようとする課題】
【０００７】
ペットの身高に対応した位置において継続的に温度を測定するような、犬等のペットの熱中症を予防するために用いる装置を提供すること。
合わせて、ペットの身高に対応した地面に近い位置において温度を測定することによって地面（路面）の温度を示唆し、犬の肉球のやけどを予防する装置を提供すること。
【課題を解決するための手段】
【０００８】
本考案のペットの熱中症予防用温度計は、
ペットの首又は人間の足首に巻きつけて装着できるバンドに、気温を継続的に測定して気温が設定温度以上である場合に警告表示をする温度計を備えたことを特徴とする。
ペットが熱中症を発症する可能性の高低を示唆する値である気温を継続的に測定して警告表示を行う。
バンドをペットの首又は人間の足首に巻きつけて装着することにより、身高に対応した位置において継続的に気温を測定することができる。むろん、ペットの首又は人間の足首以外の箇所、例えばペットの脚に巻きつけてもよい。
【０００９】
本考案のペットの熱中症予防用温度計は、
前記設定温度として２以上の温度が設定され、上記警告表示はより高音の設定温度についてより長波長の色彩であることを特徴とする。
例えば、２５℃、３０℃及び３５℃に温度を設定し、警告表示を２５℃では青、３０℃では黄色、３５℃では赤とすることができる。長波長の色彩のほうが危険を示すように感じられるので、熱中症を発症する危険を色彩によって直感的に理解することができる。
【００１０】
本考案のペットの熱中症予防用温度計は、
前記設定温度に、熱中症を引き起こす気温及び肉球のやけどを引き起こす路面温度を示唆する気温を含むことを特徴とする。ここで、肉球は、例えば犬の足裏の部位である。
ペットの身高に対応した地面に近い位置では、地面（路面）からの輻射熱によって気温が変動する。気温を測定することにより肉球のやけどを引き起こすほどに路面温度が高い（約５０℃以上）場合を推定できると考えられる。例えば、気温が４５℃以上であれば肉球のやけどを引き起こすほどに路面温度が高いと推定する。
肉球のやけどを引き起こす路面温度を示唆する気温は、熱中症を発症する気温よりも高いと考えられ、別途の設定温度を設けて警告表示を行う。
【００１１】
本考案のペットの熱中症予防用温度計は、
前記警告表示は、熱中症を引き起こす気温と肉球のやけどを引き起こす路面温度を示唆する気温とで異なる色相の表示であることを特徴とする。
例えば、熱中症を引き起こす気温を警告する表示は赤、肉球のやけどを引き起こす路面温度を示唆する気温を警告する表示は緑というように、異なる色相で表示して、飼い主に警告の種類を理解しやすいようにする。熱中症を引き起こす気温に係る警告に対してはペットを日陰に移動させる等の時間的余裕のある処置をとり得るが、肉球のやけどを引き起こす路面温度を示唆する気温に係る警告に対してはペットを抱き上げる等の処置を即座にとる必要がある。処置の緊急性が異なるので、警告の種類が理解しやすいことが重要である。
【００１２】
本考案のペットの熱中症予防用温度計は、
前記警告表示が表示のための電力の供給を必要としない温度に対応して表示色を変化させる温度対応表示物によって行われることを特徴とする。
電力の供給を必要とせずに温度に対応して表示色を変化させる温度対応表示物は各種販売されている。例えば、株式会社光洋製の感温液晶シート、アセイ工業株式会社製の示温ラベルがある。かかる温度対応表示物を用いて警告表示を行うことにより、電池のない携帯装置において継続的に使用することができる。
なお、温度対応表示物としてサーモカラーセンサを用いる場合には可逆性のサーモカラーセンサを用いることが好ましい。熱中症を発症する可能性の大きな高温にいったんなっても、低温に戻れば熱中症を発症する可能性が小さくなるので、低温に戻った際に警告表示が消えるようにするためである。
【００１３】
本考案のペットの熱中症予防用温度計は、
前記温度対応表示物が感温液晶シートであることを特徴とする。
感温液晶シートは安価であり、熱中症予防用温度計の生産コストを低減できる。
【００１４】
本考案のペットの熱中症予防用温度表示シールは、
気温を継続的に測定して気温が設定温度以上である場合に警告表示をする２以上の温度を設定温度とする２以上の温度対応表示物を含み、該設定温度に熱中症を引き起こす気温及び肉球のやけどを引き起こす路面温度を示唆する気温を含み、前記警告表示は熱中症を引き起こす気温と肉球のやけどを引き起こす路面温度を示唆する気温とで異なる色相の表示であることを特徴とする。
巻きつけるためのバンドにせずとも、シールを首輪に貼付して用いることができる。
【考案の効果】
【００１５】
ペットの身高に対応した位置において温度を測定することができ、色彩等によって直感的に熱中症を発症する危険を理解することができる。
電力を必要としないので、長期の外出等においても使用でき、間歇的でなく継続的に使用できる。
【図面の簡単な説明】
【００１６】
【図１】図１は、ペットの熱中症予防用温度計の例を示す図である。（実施例１）
【図２】図２は、ペットの熱中症予防用温度計の例を示す図である。（実施例２）
【図３】図３は、ペットの熱中症予防用温度計の例を示す図である。（実施例３）
【図４】図４は、ペットの熱中症予防用温度表示シールの例を示す図である。（実施例４）
【考案を実施するための形態】
【００１７】
以下、本考案を用いた実施例を示す。
【実施例１】
【００１８】
図１は、ペットの熱中症予防用温度計の例を示す図である。ペットの熱中症予防用温度計本体１は、バンド状であり、温度表示部２を備えている。バンドの両端には面ファスナ３及び４が備えられている。面ファスナ３は裏面に、面ファスナ４は表面に設けられ、面ファスナ４の幅によってバンドを巻きつける際の長さが調整されて、ペットの首、飼い主の足首等に固定される。なお、「面ファスナ」とは、２つの面を着脱可能に固定するファスナであり、一般に「マジックテープ」として知られているものが代表的である。（「マジックテープ」は登録商標。）
温度表示部２には、熱中症警告用の感温液晶シート５a〜５ｉ及び肉球やけど警告用の感温液晶シート６a〜６ｄが設けられている。感温液晶シート５aは２５℃〜２７℃において発色し、感温液晶シート５ｂは２７℃〜２９℃において発色し、以下２℃刻みで図の右側の感温液晶シートが発色する。感温液晶シート５ａ、５ｂ及び５ｃは青色、感温液晶シート５ｄ、５ｅ及び５ｆは黄色、感温液晶シート５g、５ｈ及び５ｉは赤色、感温液晶シート６ａ、６ｂ、６ｃ及び６ｄは緑色に発色する。全体として、気温が２５℃〜３１℃では青色、３１℃〜３７℃では黄色、３７℃〜４５℃では赤色、４５℃以上では緑色に発色する。飼い主は、赤色の表示がある時には熱中症の危険が大きい、黄色の表示がある時には熱中症の可能性がある、と判断することができる。また、気温が４５℃を超えると赤色の表示が緑色に変化するので、飼い主は、熱中症の危険のみならず肉球のやけどの危険があることに容易に気付き、ペットを抱き上げる等の処置を行うことができる。
【実施例２】
【００１９】
図２は、ペットの熱中症予防用温度計の例を示す図である。ペットの熱中症予防用温度計本体１、温度表示部２、面ファスナ３並びに４の構成及び感温液晶シート５a〜５ｉ並びに６a〜６ｄの発色は実施例１と同様である。実施例１との相違は、熱中症警告用の感温液晶シート５a〜５ｉを上段に設け、肉球やけど警告用の感温液晶シート６a〜６ｄを下段に設けて、熱中症の警告と肉球やけどの警告とが別の段に表示される点である。
これにより、感温液晶シートの占める幅が小さくなり、面ファスナ４の幅を大きくできる。ペットの熱中症予防用温度計を、ペットの足首等の極めて細い部位に装着することもできる。
【実施例３】
【００２０】
図３は、ペットの熱中症予防用温度計の例を示す図である。ペットの熱中症予防用温度計本体１、温度表示部２、面ファスナ３及び４の構成は実施例１と同様である。
温度表示部２には、熱中症警告用の可逆性サーモカラーセンサ７a並びに７ｂ及び肉球やけど警告用の可逆性サーモカラーセンサ８a並びに８ｂが設けられている。サーモカラーセンサ７aは３１℃以上において黄色に発色し、サーモカラーセンサ７ｂは３１℃以上において黄色に発色し、サーモカラーセンサ７aは３７℃以上において赤色に発色し、サーモカラーセンサ８ａは４５℃以上において緑色に発色し、サーモカラーセンサ８ｂは５０℃以上において青色に発色する。飼い主は、黄色の表示があれば熱中症の危険がある、赤色の表示があれば熱中症の危険が高い、緑色の表示があれば肉球やけどの危険がある、青色の表示があれば肉球やけどの危険が極めて高いと判断することができる。
サーモカラーセンサは、設定温度を超えて温度が大きく上がっても発色を続けるので、温度の刻み毎に設けることなく、感温液晶シートよりも少ない数で警告表示を実現することができる。
【実施例４】
【００２１】
図４は、ペットの熱中症予防用温度表示シールの例を示す図である。シール９は裏面が粘着性であり、表面には熱中症警告用の感温液晶シート５a〜５ｉ及び肉球やけど警告用の感温液晶シート６a〜６ｄが設けられている。感温液晶シートの発色は実施例１と同様である。
シールを犬の首輪等に貼付することにより、バンドを設けずともペットの身高に対応した位置において継続的に気温を測定することができ、熱中症及び肉球やけどの危険を警告することができる。
【００２２】
（実施例の拡張）
上記実施例においては、３７℃以上では熱中症の危険が高く、４５℃以上では肉球やけどの危険があるものとした。しかし、ペットの種類や個体差により、熱中症の危険が高くなる温度及び肉球やけどの危険が出る温度は異なり得る。本考案の技術的範囲内において他の温度において熱中症の危険が高い旨の表示及び肉球やけどの危険がある旨の表示を行うことができる。また、４０℃、４５℃及び５０℃の３段階に分けて異なる色相で肉球やけどの危険度合を示す等、ペットの種類や個体差に対応させた多段階の表示も可能である。
【産業上の利用可能性】
【００２３】
ペットの身高に対応した位置において温度を測定することができ、色彩等によって直感的に熱中症を発症する危険を理解することができる。また、電力を必要としないので、長期の外出等においても使用でき、間歇的でなく継続的に使用できる。このようなペットの熱中症予防用温度計及び温度表示シールであり、多くの飼い主による利用が期待できる。
【符号の説明】
【００２４】
１    ペットの熱中症予防用温度計本体
２    温度表示部
３    面ファスナ
４    面ファスナ
５    感温液晶シート
６    感温液晶シート
７    サーモカラーセンサ
８    サーモカラーセンサ
９    シール
【図１】
0003164416.tif 000003
【図２】
0003164416.tif 000004
【図３】
0003164416.tif 000005
【図４】
0003164416.tif 000006